(57)【要約】【課題】  アナログ信号をディジタル信号に変換した後に行う画像処理内容を、ユーザの好みに合わせて適宜選択可能にすることで、すべてのユーザが満足することができる画像処理装置を提供する。【解決手段】  アナログ信号入力手段１０と、アナログ信号入力手段１０から入力されたアナログ映像信号に映像処理を行うアナログ信号処理手段２０と、アナログ信号処理手段２０により映像処理されたアナログ映像信号をディジタル映像信号に変換するＡ／Ｄコンバータ３０と、ディジタル映像信号をエンコードするエンコーダ５０と、エンコードデータを外部制御装置Ａに送信する送信手段６０を有し、Ａ／Ｄコンバータ３０によりディジタル化された映像信号に特殊映像処理を行うディジタル信号処理手段４０を具備することを特徴とする画像処理装置１００である。【選択図】  図１
2007228391.tif 000002
【特許請求の範囲】
【請求項１】
外部からのアナログ映像信号を取り込むアナログ信号入力手段と、
前記アナログ信号入力手段から入力されたアナログ映像信号に対して映像処理を行うアナログ信号処理手段と、
前記アナログ信号処理手段により映像処理されたアナログ映像信号をディジタル映像信号に変換するＡ／Ｄコンバータと、
前記ディジタル映像信号をエンコードするエンコーダと、
エンコードデータを外部制御装置に送信する送信手段を有する画像処理装置において、
前記Ａ／Ｄコンバータによりディジタル化された映像信号に特殊映像処理を行うディジタル信号処理手段を具備することを特徴とする画像処理装置。
【請求項２】
前記ディジタル信号処理手段は記憶手段を備え、前記外部制御装置から送信されたディジタル信号処理プログラムを記憶すると共に、該ディジタル信号処理プログラムに基づいて前記ディジタル化された映像信号に特殊映像処理を行うことを特徴とする請求項１記載の画像処理装置。
【発明の詳細な説明】
【技術分野】
【０００１】
本発明は画像処理装置に関し、より詳細にはディジタル映像信号に対して任意の特殊映像処理を行うことが可能な画像処理装置に関する。
【背景技術】
【０００２】
エンコーダの前段部分に、３ＤＹ／Ｃ分離処理や、３Ｄノイズリダクションや、ゴーストリデューサ等の処理を実行し、出力手段に出力される画質を向上させる処理は画像処理装置の技術分野において広く用いられている。このような技術を採用したノイズリダクション回路としては、例えば特許文献１のようなものがある。
【特許文献１】特開２００３−３１９２０３号公報
【発明の開示】
【発明が解決しようとする課題】
【０００３】
信号入力手段から入力される映像データの状態は、電波状態等により様々な状態であるため、上記画質を向上させるための処理を行ったとしても、出力結果に適切に反映されていないということがある。また、上記画質を向上させるための処理は、画像処理装置の提供者によってそれぞれ処理方法が異なるため、ユーザによっては好ましくない処理結果が得られてしまうという課題がある。
このように、画像処理装置がユーザの嗜好に会わない処理を行う場合には、ユーザは我慢するか、新しい画像処理装置を入手しなければならないといった課題もある。
【０００４】
本発明は上記課題を解決すべくなされたものであり、その目的とするところは、アナログ信号をディジタル信号に変換する際に行う画像処理内容を、ユーザの好みに合わせて適宜選択可能にすることで、すべてのユーザが満足することができる画像処理装置を提供することにある。
【課題を解決するための手段】
【０００５】
本発明に係る画像処理装置は以下の構成を備える。
すなわち、外部からのアナログ映像信号を取り込むアナログ信号入力手段と、前記アナログ信号入力手段から入力されたアナログ映像信号に対して映像処理を行うアナログ信号処理手段と、前記アナログ信号処理手段により映像処理されたアナログ映像信号をディジタル映像信号に変換するＡ／Ｄコンバータと、前記ディジタル映像信号をエンコードするエンコーダと、エンコードデータを外部制御装置に送信する送信手段を有する画像処理装置において、前記Ａ／Ｄコンバータによりディジタル化された映像信号に特殊映像処理を行うディジタル信号処理手段を具備することを特徴とする画像処理装置である。
【０００６】
また、前記ディジタル信号処理手段は記憶手段を備え、前記外部制御装置から送信されたディジタル信号処理プログラムを記憶すると共に、該ディジタル信号処理プログラムに基づいて前記ディジタル化された映像信号に特殊映像処理を行うことを特徴とする。
これにより、ディジタル信号処理手段が繰り返し同じ処理を行う際における処理スピードを向上させることができる。
【発明の効果】
【０００７】
本発明に係る画像処理装置によれば、画像処理装置特有の画像処理に関する癖が取り除かれることになり、すべてのユーザの好みに合わせた画像処理を実行することができる。
【発明を実施するための最良の形態】
【０００８】
以下、本発明に係る画像処理装置の実施の形態について、図面に沿って説明する。
【０００９】
（第１の実施の形態）
図１は、本実施の形態における画像処理装置の概略構成を示すブロック図である。
本実施の形態における画像処理装置１００は、アナログ信号入力手段１０と、アナログ信号入力手段１０からの映像信号に対してアナログ画像処理を行うアナログ信号処理手段２０と、アナログ信号処理手段２０により画像処理されたアナログ映像信号をディジタル映像信号に変換するＡ／Ｄコンバータ３０と、ディジタル映像信号に画像処理を行うディジタル信号処理手段４０と、ディジタル信号処理されたディジタル画像データをエンコードするエンコーダ５０と、エンコードデータをパーソナルコンピュータ等により構成される外部制御装置Ａに送信する送信手段６０と、を有している。
【００１０】
アナログ信号入力手段１０は、外部からのアナログ映像信号が入力可能に設けられており、例えばテレビチューナやアナログビデオ信号入力部などがある。アナログ信号入力手段１０から入力されたアナログ映像信号は、アナログ信号処理手段２０により画像処理される。アナログ信号処理手段２０は、アナログ映像信号に対し、ノイズリダクション処理や３ＤＹ／Ｃ分離処理などの公知の画像処理を行う。なお、ノイズリダクション処理や３ＤＹ／Ｃ分離処理は公知の技術であるので、これらについての詳細な説明は省略する。
【００１１】
アナログ信号処理手段２０による画像処理は、ユーザが外部制御装置Ａに設けられている記憶手段Ｍに記憶されている複数の画像処理プログラム（画像処理フィルタ）の中から適宜選択したものが用いられる。ユーザにより選択された画像処理プログラムは外部制御手段Ａに設けられている入力手段により指定された後、外部制御装置Ａの制御手段によりアナログ信号処理手段２０に送信される。なお、アナログ信号処理手段２０が行う画像処理は必ずしも一種類だけではなく、複数種類の画像処理を連続的に行うこともできる。
【００１２】
アナログ信号処理手段２０により画像処理されたアナログ映像信号は、Ａ／Ｄコンバータ３０によりディジタル映像信号に変換される。
ディジタル信号処理手段４０は、ディジタル映像信号に対して特殊映像処理を行う。ディジタル信号処理手段４０が行う特殊映像処理を実現するためのディジタル信号処理プログラム（ディジタル信号処理フィルタ）としては、画面内に任意の文字や模様を合成する処理や、所定の色彩に関する信号レベルを調整する処理や、減色処理等があり、これらのディジタル信号処理プログラムは外部制御装置Ａの記憶手段Ｍに予め記憶されている。
また、ディジタル信号処理手段４０は、画像処理だけではなく、所定周波数の音声データを削除する処理等の音声に関するデータ処理も行うことができる。
【００１３】
ユーザが外部制御装置Ａに接続されたキーボードやマウス等の入力手段によりディジタル信号処理手段４０に実行させる処理プログラムを指定した後、外部制御装置Ａの制御手段が送信手段６０を介して画像処理装置１００にユーザにより指定されたディジタル信号処理プログラム（ディジタル信号処理フィルタ）を送信する。画像処理装置１００が処理プログラムを受信すると、ディジタル信号処理手段４０がディジタル信号処理プログラムに基づいたデータ処理を行うのである。
このように、ディジタル信号処理手段４０の記憶手段にユーザにより選択された処理プログラムを記憶させることにより、処理プログラムを一回選択すれば、同一のデータ処理を複数のデータに対して連続的に行うことができるため好適である。
【００１４】
ディジタル信号処理手段４０により特殊映像処理がなされた後は、エンコーダ５０により所定の形式にエンコード処理される。所定のデータ形式にエンコード処理されたエンコードデータは、送信手段６０から外部制御手段Ａに送信される。
外部制御手段Ａには、モニタ等により構成される表示手段や、デコーダ、光ディスク装置等の記憶媒体リードライト手段等を有しているので、受信したエンコードデータをデコーダがデコードして表示手段に表示する処理や、エンコードデータを光ディスク等の記憶媒体に記録する処理も可能である。
【００１５】
（第２の実施の形態）
本実施の形態は、ディジタル信号処理手段４０内に記憶手段（図示せず）を具備させ、ディジタル信号処理手段４０の記憶手段に予めディジタル信号処理プログラムを記憶させている形態である。本実施の形態における画像処理装置１００における他の構成要素については、第１の実施形態と同様である。
本実施の形態によれば、ディジタル信号処理手段４０が実行可能な処理内容に制限が生じてしまうものの、ディジタル信号処理手段がディジタル信号処理プログラムを実行する際に、外部制御手段Ａにアクセスする必要がないため処理速度が向上し、好都合である。
【００１６】
（第３の実施の形態）
さらには、図２に示すように、画像処理装置１００が接続（装着）されている外部制御手段Ａであるパーソナルコンピュータが、インターネットなどのネットワークＮに接続されていると共に、ネットワーク上にはネットワークＮを介してファイルの送受信が可能なサーバＳを配設すれば、特殊映像処理に用いる処理プログラムをサーバＳに送受信可能なユーザフォーラムを構築することもできる。
このようにインターネットを介したユーザフォーラムを構築することにより、ユーザやメーカから多様な処理プログラムがサーバＳに提供されるため、さまざまなディジタル映像処理を実行することが可能になるためさらに好適である。
【００１７】
（実施例１）
画面内に任意の文字や模様を合成する処理として、例えば、日付や時刻の画面内への合成、サイン、ウォーターマーク、ロゴの画面内への合成、画面の特定部分にマスクを入れる処理が可能である。これらの処理をディジタル信号処理手段４０により実行することで、画像編集用のソフトウェアを使用する必要がなくなり、アナログデータをディジタルデータに変換する処理と同時に画像データの編集も行うことができるため、編集に要する時間を大幅に短縮させることができる。
【００１８】
（実施例２）
所定周波数の音声データを削除する処理を適用することにより、時報や雑音等の不必要な音声データの除去が可能になる。
【００１９】
(実施例３)
色彩の処理が可能になる。外部制御装置Ａの表示手段が低スペックである場合には、オリジナルのデータではデータ容量が過多になってしまうため、記憶手段Ｍの記憶容量を無駄に消費してしまう。そこで、外部制御装置Ａのスペックにあわせた減色処理を行うことにより、データ容量を抑えることができる。また、特定の色彩に関するデータのレベルを調整することにより、例えば、肌色の信号レベルを高めて肌をきれいに表現する処理の他、黒色の信号レベルを高めることにより、立体的な映像表現や締まりのある映像を提供することができる。
【００２０】
（実施例４）
ノイズを付加する処理が可能になる。アナログ信号段階においては、アナログ信号処理手段２０によりノイズリダクション処理、３ＤＹ／Ｃ分離の処理、ゴーストリダクション処理等がなされることにより、ノイズを除去しているが、アナログ信号段階によるノイズ除去は機械的であるため、オリジナル画像に意図的に付加されていた画像効果までもがノイズと認識されてしまい、意図的に付加した画像効果が取り除かれてしまうことがある。
このような場合には、ディジタル信号処理手段４０により、オリジナル画像に意図的に付加されていたノイズ（意図的な画質効果）を元に戻すことができる。
【図面の簡単な説明】
【００２１】
【図１】第１の実施形態における画像処理装置の概略構成を示すブロック図である。
【図２】第３の実施形態の構成を示す説明図である。
【符号の説明】
【００２２】
１０  アナログ信号入力手段
２０  アナログ信号処理手段
３０  Ａ／Ｄコンバータ
４０  ディジタル信号処理手段
５０  エンコーダ
６０  送信手段
１００  画像処理装置
Ａ  外部制御手段
Ｍ  記憶手段
Ｎ  ネットワーク
Ｓ  サーバ
【図１】
2007228391.tif 000003
【図２】
2007228391.tif 000004